(57)【特許請求の範囲】
【請求項１】
内槽底部に設けられる内槽フランジと、内槽軸とを含み、内槽軸の上端部はフランジ取付構造であり、内槽フランジが内槽軸フランジと密封接続される、洗濯機内槽軸の密封取付構造であって、内槽フランジおよび内槽軸フランジの間に複合密封ワッシャが設けられ、これは金属フレームおよびゴムワッシャを含み、両者は一体構造に加硫接合され、
前記金属フレームおよび前記ゴムワッシャはいずれも環状構造であり、前記金属フレームおよびゴムワッシャは同心で、前記金属フレームの内周と前記ゴムワッシャの外周とが加硫接合され、環状の複合密閉ワッシャが形成され、
前記ゴムワッシャが前記金属フレームの内輪に設けられ、前記金属フレームのライニング構造を構成し、前記金属フレームおよび前記ゴムワッシャが接合して扁平で環状の複合密封ワッシャが形成され、
前記金属フレームの内周が前記ゴムワッシャと加硫接合する接合部であり、前記接合部は複数の曲線が順番に接続して構成され、
前記ゴムワッシャが環状ゴム本体を含み、前記環状ゴム本体の外周は前記金属フレームと加硫接合され、前記環状ゴム本体の内周が中心孔を形成し、
前記環状ゴム本体の上表面および／または下表面に、前記中心孔の外輪に沿って第１環状凸リブが設けられ、
前記第１環状凸リブの外部に、円周に沿って複数のボルト貫通孔が分布し、
前記環状ゴム本体の上表面および／または下表面は、各ボルト貫通孔の外周に、それぞれ第２環状凸リブが設けられ、
隣接する２つの前記第２環状凸リブ間に部分凸リブが接続され、複数の部分凸リブは同一円周の軌道上に位置し、第１環状凸リブと同心であることを特徴とする洗濯機内槽軸の密封取付構造。
【請求項２】
前記環状ゴム本体の上下表面および金属フレームの上下表面は、それぞれ同一水平面にあり、加硫接合部分は滑らかに移行し、前記第１環状凸リブおよび前記第２環状凸リブは複合密封ワッシャの表面から突出していることを特徴とする、請求項１に記載の洗濯機内槽軸の密封取付構造。
【請求項３】
前記第１環状凸リブおよび前記第２環状凸リブの突出する高さは同じであることを特徴とする、請求項２に記載の洗濯機内槽軸の密封取付構造。
【請求項４】
前記環状ゴム本体に、下表面から突出する少なくとも１つの定位柱が設けられ、２つのボルト貫通孔の間にあり、内槽軸フランジに定位柱と適合する定位孔が設けられることを特徴とする、請求項１に記載の洗濯機内槽軸の密封取付構造。
【請求項５】
前記ボルト貫通孔および前記定位柱は、いずれも環状ゴム本体の外周から部分的に突出して弧状突出部を形成し、金属フレームの内周に、環状ゴム本体の外周の弧状突出部と適合する弧状の欠損部分が複数設けられることを特徴とする、請求項４に記載の洗濯機内槽軸の密封取付構造。
【発明の詳細な説明】
【技術分野】
【０００１】
本発明は洗濯機分野に関し、具体的に洗濯機内槽底の密封構造であり、特に洗濯機内槽軸の密封取付構造である。
【背景技術】
【０００２】
既存のパルセータ洗濯機は、洗濯時、内槽および外槽の側壁間に水を充満させる必要があるため、内槽構造は密封する必要がない。特に内槽底は、急速に排水するため、内槽底および内槽フランジの間に隙間を有し、さらには内槽底の強度を保証することを基本として、出水孔を増加させる。
【０００３】
しかし、該構造のパルセータ洗濯機において、内外槽間の水は洗濯に関与しない。洗濯に関与するのは内槽中の水のみであり、これにより水資源の浪費が比較的多くなる。このほか、内外槽間の水が多すぎると、洗濯液中の洗剤／粉末洗剤の濃度が低下する。既存の筐体、槽一体型全自動パルセータ洗濯機は、水資源を浪費する問題も、衣類が汚染される問題も同時に解決する。既存の筐体、槽一体型全自動パルセータ洗濯機の水封構造は、洗濯機の一体化した筐体、槽と駆動ブッシュとが螺旋ジャバラ状の軟質ゴム水封カバーを介して密封接続され、水封を実現する。慣性体の昇降、耐衝撃性を満足させることも、一体化した筐体、槽と駆動ブッシュとを密封接続することもできる目的を達成した。例えば、中国特許出願番号第２００７１０１３７２３４．０号明細書の「螺旋ジャバラ状の軟質ゴム水封カバー」である。該発明は、筐体、槽一体型全自動パルセータ洗濯機に対して、水封の特殊な要求に適合する螺旋ジャバラ状の軟質ゴム水封カバーを提供する。これは外輪部分、螺旋ジャバラ部分、ライニング部分からなる一体化された碗状の強化薄肉ゴム製品を含み、前記螺旋ジャバラ部分は突起が内から外に旋回して広がる波状の螺旋ジャバラである。使用するとき、螺旋ジャバラ状の軟質ゴム水封カバーの螺旋ジャバラは、３次元方向に自在に伸縮することができるため、慣性体の昇降、ねじれ運動の特性に適応し、慣性体の振動が一体化した筐体、槽および台座に伝達されるのを最大限に防止する。筐体、槽一体型全自動パルセータ洗濯機において、排水時、ジャバラ溝中の水は螺旋ジャバラに沿って自動的に流出し、留まらない。
【０００４】
しかし、該発明が示す案の不足部分としては、洗濯機の遠心脱水動作のとき、螺旋ジャバラ状の軟質ゴム水封カバーは２つの異なる剛性体と接続されるため、径方向の激しい力を受けると、螺旋ジャバラ状の軟質ゴム水封カバーにゆがみが生じ、剛性が不十分となり、信頼性が良好でないなどの欠点となる。
【０００５】
このことを考慮して、本発明を示す。
【先行技術文献】
【特許文献】
【０００６】
【特許文献１】中国特許出願番号第２００７１０１３７２３４．０号明細書
【発明の概要】
【発明が解決しようとする課題】
【０００７】
本発明の目的は既存技術の不足を克服することであり、洗濯機内槽軸の密封取付構造を提供する。ワッシャおよび密封の機能を満たすことができるのと同時に、洗濯機の脱水時に、２つの剛性部品の間で緩み、揺れおよび漏水の現象が生じるのを防止する。
【課題を解決するための手段】
【０００８】
該目的を実現するため、本発明は以下の技術案を採用する。洗濯機内槽軸の密封取付構造は、内槽底部に設けられる内槽フランジと、内槽軸とを含み、内槽軸の上端部はフランジ取付構造であり、内槽フランジは内槽軸フランジと密封接続される。内槽フランジおよび内槽軸フランジの間に複合密封ワッシャが設けられ、これは金属フレームおよびゴムワッシャを含み、両者は一体構造に加硫接合される。
【０００９】
さらに、前記複合密封ワッシャは扁平な環状構造であり、中間は中心孔である。複合密封ワッシャの上表面および／または下表面に、中心孔の外輪に沿って、第１環状凸リブが設けられる。
【００１０】
さらに、前記複合密封ワッシャに、円周に沿って複数のボルト貫通孔が分布し、複合密封ワッシャの上表面および／または下表面は、各ボルト貫通孔の外周に、それぞれ第２環状凸リブを有する。好ましくは、隣接する２つの第２環状凸リブ間に部分凸リブが接続され、より好ましくは、複数の部分凸リブは同一円周の軌道上に位置し、第１環状凸リブと同心である。
【００１１】
さらに、前記複合密封ワッシャおよび内槽軸フランジの間に定位構造が設けられ、好ましくは、該定位構造は複合密封ワッシャの表面から突出する定位柱である。内槽軸フランジに、定位柱と適合する定位孔が設けられる。
【００１２】
さらに、前記金属フレームおよびゴムワッシャはいずれも環状構造である。両者は同心で径方向に沿って内外が加硫接合される。
【００１３】
さらに、前記ゴムワッシャは金属フレームの内輪に設けられ、金属フレームのライニング構造を構成する。両者が接合して扁平で環状の複合密封ワッシャが形成される。
【００１４】
さらに、前記金属フレームの内周はゴムワッシャと加硫接合する接合部であり、接合部は複数の曲線が順番に接続して構成される。
【００１５】
さらに、前記ゴムワッシャは環状ゴム本体を含み、外周は金属フレームと加硫接合され、内周は中心孔である。環状ゴム本体の上表面および／または下表面に、中心孔の外輪に沿って第１環状凸リブが設けられ、第１環状凸リブの外部に、円周に沿って複数のボルト貫通孔が分布する。環状ゴム本体の上表面および／または下表面は、各ボルト貫通孔の外周に、それぞれ第２環状凸リブを有する。
【００１６】
さらに、隣接する２つの第２環状凸リブ間に部分凸リブが接続され、好ましくは、複数の部分凸リブは同一円周の軌道上に位置し、第１環状凸リブと同心である。
【００１７】
さらに、前記環状ゴム本体の上下表面および金属フレームの上下表面は、それぞれ同一水平面にあり、加硫接合部分は滑らかに移行する。前記第１環状凸リブおよび第２環状凸リブは複合密封ワッシャの表面から突出し、好ましくは、両者の突出する高さは同じである。金属フレームおよびゴムワッシャの上下表面の高さは同じで、金属フレームおよびゴムワッシャがいずれも良好に接触することができることを保証し、金属フレームが径方向および軸方向の力の作用に充分に抵抗することができることを確実に保証する。
【００１８】
前記第２環状凸リブは、内槽フランジおよび内槽軸フランジを締め付けると、複合密封ワッシャのボルト貫通孔の内径が、第２環状凸リブの圧縮により小さくなるため、ゴムライニングおよびボルトの間で、一定の密封作用が生じる。
【００１９】
さらに、前記環状ゴム本体に、下表面から突出する少なくとも１つの定位柱が設けられ、２つのボルト貫通孔の間に位置する。内槽軸フランジに、定位柱と適合する定位孔が設けられる。
【００２０】
さらに、前記ボルト貫通孔および定位柱は、いずれも環状ゴム本体の外周から部分的に突出して弧状突出部を形成する。金属フレームの内周に、環状ゴム本体の外周の弧状突出部と適合する弧状の欠損部分が複数設けられる。該構造は、金属フレームおよびゴムワッシャの接触面積を増加させるだけでなく、金属フレームおよびゴムワッシャの間の接合強度を増加させ、金属フレームおよびゴムワッシャの相対接合強度をよりさらに高めた。複合密封ワッシャは比較的強い径方向および軸方向の力に耐えることができ、同時に両者の間の接続の安全性を保障し、複合密封ワッシャの使用寿命を延長させる。
【００２１】
前記定位柱の高さは３〜１２ｍｍである。洗濯機の取付過程において、まず内槽軸を外槽底に通し、外槽底との間を密封し、減速装置およびモータを外槽底部に取り付ける。その後、複合密封ワッシャを内槽軸フランジ上に定位し、さらに内槽底と固定する内槽フランジを複合密封ワッシャ上に位置させ、最後にボルトで取付、固定する。該取付過程において、定位柱により複合密封ワッシャを内槽軸フランジ上に定位し、ボルトを内槽フランジ、複合密封ワッシャおよび内槽軸フランジに順番に通し、三者を相対して固定する。
【００２２】
本発明に係る全自動洗濯機は、外槽と、外槽内に設けられる内槽とを含み、内槽上部に出水孔が設けられる。前記内槽の出水孔の下部分は、周壁および底壁がいずれも密封された、水を収容する空洞構造である。
【００２３】
該洗濯機は内槽上部のみに出水孔が設けられ、下部は孔が無く密封される。洗濯水を内槽および外槽間の領域に進入させる必要はなく、内槽に適した水量を注入するだけでよい。これにより洗濯水を大幅に節約する目的を達成し、節水率は３０％〜４０％に達する。同時に、毎回の洗濯で洗剤、補助剤などの添加剤の投入量が減少し、洗濯コストを節約した。他に、内槽および外槽間の領域は洗濯に関与せず、内槽および外槽間の領域に留まる汚れ、繁殖した細菌は、内槽の衣服と水流により接触することはなく、これにより細菌の交差感染を効果的に防止することができ、洗濯機の使用をより衛生的、エコ、安全にする。脱水、排水時、内槽の高速回転が水流を上に向かって流動させ、出水孔から排出させるため、水中に浮いた糸屑は衣類に残ることはなく、完全に排出され、よりきれいに洗濯される。
【発明の効果】
【００２４】
本発明の前記技術案を採用すると、以下の有益な効果がもたらされる。
１、本発明の前記複合密封ワッシャは、内槽軸フランジおよび内槽フランジの間に取り付けられ、同時に内槽軸と接続される。金属フレームおよびゴム材料の加硫接合を採用し、内槽軸フランジおよび内槽フランジの間で、脱水動作により生じる剛性接続の径方向および軸方向の力を克服することができ、両者の間で緩み、揺れ、漏水および内槽軸の漏水などの問題が生じるのを防止する。
【００２５】
２、本発明の前記複合密封ワッシャに設けられる定位構造は、洗濯機の取付過程で、内槽軸フランジ、複合密封ワッシャおよび内槽フランジの間の接触面積が大きすぎることにより、容易に相対して移動し、ボルトの固定調節過程の難易度が増加するのを克服することができる。
【００２６】
以下、図を組み合わせて、本発明の発明を実施するための形態について、さらに詳細に記載する。
【図面の簡単な説明】
【００２７】
【図１】図１は、本発明の複合密封ワッシャの構造概要図である。
【図２】図２は、本発明の複合密封ワッシャの正面図である。
【図３】図３は、本発明の洗濯機内槽軸の密封構造における概要図である。
【図４】図４は、本発明の洗濯機内槽軸の密封構造における部分概要図である。
【図５】図５は、本発明の複合密封ワッシャの組立図である。
【図６】図６は、本発明の複合密封ワッシャにおける上面凸リブの概要図である。
【図７】図７は、本発明の洗濯機内槽軸の密封構造における組立概要図である。
【発明を実施するための形態】
【００２８】
本発明の上記目的、特徴および利点をより明確に理解することができるようにするため、以下、図および発明を実施するための形態を組み合わせて、本発明についてさらに詳細に説明する。
【００２９】
図１から図７に示すように、本発明の前記洗濯機内槽軸の密封構造は、内槽底部に設けられる内槽フランジ１１と、内槽軸１３とを含み、内槽軸１３の上端部はフランジ取付構造であり、内槽フランジ１１は内槽軸フランジ１０と密封接続される。内槽フランジ１１および内槽軸フランジ１０の間に複合密封ワッシャ１が設けられ、これは金属フレーム２およびゴムワッシャ３を含み、両者は一体構造に加硫接合される。
【００３０】
図７に示すように、本発明の前記洗濯機内槽底部は密封され、すなわち、内槽フランジ１１は内槽底と密封接続される。内槽軸１３の上端部はフランジ取付構造であり、内槽フランジ１１は内槽軸フランジ１０とも密封接続される。内槽は、水を収容する構造である。
【実施例】
【００３１】
実施例１
図１に示すように、本実施例の前記複合密封ワッシャ１は扁平な環状構造であり、中間は中心孔９である。複合密封ワッシャ１の上表面および／または下表面に、中心孔９の外輪に沿って、第１環状凸リブ４が設けられる。
【００３２】
実施例２
図１に示すように、本実施例の前記複合密封ワッシャ１に、円周に沿って複数のボルト貫通孔６が分布し、複合密封ワッシャ１の上表面および／または下表面は、各ボルト貫通孔６の外周に、それぞれ第２環状凸リブ７を有する。好ましくは、隣接する２つの第２環状凸リブ７間に部分凸リブ１５が接続され、より好ましくは、複数の部分凸リブ１５は同一円周の軌道上に位置し、第１環状凸リブ４と同心である。
【００３３】
実施例３
図２および図７に示すように、本実施例の前記複合密封ワッシャ１に、表面から突出する定位構造８が設けられ、好ましくは、該定位構造８は定位柱である。内槽軸フランジ１０に、定位柱と適合する定位孔１８が設けられる。
【００３４】
好ましくは、本実施例の前記環状ゴム本体に、下表面から突出する少なくとも１つの定位柱が設けられ、２つのボルト貫通孔６の間に位置する。内槽軸フランジ１０に、定位柱と適合する定位孔１８が設けられる。
【００３５】
実施例４
図６に示すように、本実施例の前記複合密封ワッシャの定位構造は、定位柱の１つの方式以外に、および／または非円形の中心孔１４を内槽軸１３と嵌合させる方式を採用する。
【００３６】
実施例５
図１に示すように、本実施例の前記金属フレーム２およびゴムワッシャ３はいずれも環状構造であり、両者は内から外に加硫接合される。前記ゴムワッシャ３は金属フレーム２の内輪に設けられ、金属フレームのライニング構造を構成し、両者が接合して扁平で環状の複合密封ワッシャ１が形成される。前記金属フレーム２の内周はゴムワッシャ３と加硫接合する接合部であり、接合部は複数の曲線が順番に接続して構成される。
【００３７】
実施例６
図１および図６に示すように、本実施例の前記ゴムワッシャ３は環状ゴム本体を含み、外周は金属フレーム２と加硫接合され、内周は中心孔９である。環状ゴム本体の上表面および／または下表面に、中心孔９の外輪に沿って第１環状凸リブ４が設けられ、第１環状凸リブ４の外部に、円周に沿って複数のボルト貫通孔６が分布する。環状ゴム本体の上表面および／または下表面は、各ボルト貫通孔６の外周に、それぞれ第２環状凸リブ７を有する。隣接する２つの第２環状凸リブ７間に部分凸リブ１５が接続され、好ましくは、複数の部分凸リブは同一円周の軌道上に位置し、第１環状凸リブ４と同心である。
【００３８】
実施例７
図６に示すように、本実施例の前記環状ゴム本体の上下表面および金属フレーム２の上下表面は、それぞれ同一の水平面にあり、加硫接合部分は滑らかに移行する。前記第１環状凸リブ４および第２環状凸リブ７は複合密封ワッシャ１の表面から突出し、両者の突出する高さは同じである。
【００３９】
好ましくは、本実施例に記載する前記第１環状凸リブ４および第２環状凸リブ７の突出する高さは比較的低く設定され、例えば０．８ｃｍである。複合密封ワッシャ１は、より良好に密封作用を発揮することができ、内槽フランジ１１および内槽軸フランジ１０が剛性接触すると、隙間が生じるのを防止する。
【００４０】
実施例８
図５に示すように、本実施例の前記ボルト貫通孔６および定位柱８は、いずれも環状ゴム本体の外周から部分的に突出して弧状突出部１６を形成する。金属フレーム２の内周に、環状ゴム本体の外周の弧状突出部１６と適合する弧状の欠損部分１７が複数設けられる。
【００４１】
さらに、金属フレーム２およびゴムワッシャ３の接触面積をさらに増加させ、両者の間の接合強度を上昇させた。
【００４２】
好ましくは、本実施例の前記定位構造８の高さは６〜１０ｍｍである。
【００４３】
実施例９
図７に示すように、本実施例の前記洗濯機内槽軸の密封取付構造の取付過程において、まず内槽軸１３を外槽底に通し、外槽底との間を密封し、減速装置およびモータを外槽底部に取り付ける。その後、複合密封ワッシャ１を内槽軸フランジ１０上に定位し、さらに内槽底と固定する内槽フランジ１１を複合密封ワッシャ１上に位置させ、最後に、ボルト１２で取付、固定する。該取付過程において、定位柱８により複合密封ワッシャ１を内槽軸フランジ１０上に定位し、ボルト１２を内槽フランジ１１、複合密封ワッシャ１および内槽軸フランジ１０に順番に通し、三者を相対して固定する。
【００４４】
好ましくは、本実施例の前記定位構造８の突端を、内槽軸フランジの定位孔１８と嵌合させると、内槽軸フランジ１０および複合密封ワッシャ１の位置は相対して固定される。内槽軸フランジ１０のボルト孔は、複合密封ワッシャ１の対応するボルト貫通孔６と一つ一つ対応し、相対移動が生じることはない。その後、内槽フランジ１１のボルト孔と、複合密封ワッシャのボルト貫通孔６との対応する位置を調整し、調整完了後、ボルト１２を取り付ける。前記複合密封ワッシャの定位構造８の作用は、複合密封ワッシャ１および内槽軸フランジ１０の相対位置を固定して、取付に有利であるだけでなく、複合密封ワッシャ１および内槽軸フランジ１０の相対接触面積を減少させて、両者の間の相対移動による摩耗を軽減させ、これにより複合密封ワッシャ１の使用寿命を延長させる。
【００４５】
洗濯機の動作時、モータは内槽軸１３を回転させ、これにより内槽を回転させる。内槽の水が内槽軸１３から外槽中に漏水するのを防止するため、さらに内槽軸フランジ１０および内槽フランジ１１の径方向、軸方向の力を受け、内槽軸フランジ１０および内槽フランジ１１の間で生じる緩み、揺れおよび漏水の問題を防止するため、本発明は複合密封ワッシャ１を採用して、上記問題を効果的に解決することができる。
【００４６】
以上の記載は本発明の好ましい実施方式に過ぎない。当業者は本発明の原理を逸脱しない前提で、数種の変形および改良を行うことができるが、これも本発明の保護範囲と見なすべきであると指摘しなければならない。
【符号の説明】
【００４７】
１  複合密封ワッシャ
２  金属フレーム
３  ゴムワッシャ
４  第１環状凸リブ
５  弧状の内歯
６  ボルト貫通孔
７  第２環状凸リブ
８  定位構造
９  中心孔
１０  内槽軸フランジ
１１  内槽フランジ
１２  ボルト
１３  内槽軸
１４  非円形の中心孔
１５  部分凸リブ
１６  弧状突出部
１７  弧状の欠損部分
１８  定位孔
【図１】
0006678962.tif 000002
【図２】
0006678962.tif 000003
【図３】
0006678962.tif 000004
【図４】
0006678962.tif 000005
【図５】
0006678962.tif 000006
【図６】
0006678962.tif 000007
【図７】
0006678962.tif 000008